(57)【特許請求の範囲】
【請求項１】
商用電力電源部から電力の供給を受け、当該電力によって動作する処理装置に対して電力を供給する電力供給モード、及び、前記処理装置への電力供給を休止する節電モードを選択的に実行する電力供給制御手段と、
前記処理装置に対して相対的に遠い第１の領域を感知対象領域として設定され、移動体が移動しているか否かを区別して検出する第１の検出手段と、
前記処理装置に対して相対的に近い第２の領域を感知対象領域として設定され、前記移動体が存在しているか否かを区別して検出する第２の検出手段と、
少なくとも前記電力供給制御手段による電力供給状態が節電モード中であっても電力の供給を受けて稼働され、
前記第２の検出手段の検出結果に基づく前記第２の領域への移動体の侵入判定後における、前記第１の検出手段による移動検出後の移動未検出に基づいて、前記節電モードから前記電力供給モードに切り替えるか否かを判定する判定機能部、並びに当該判定機能の判定結果に基づいて前記電力供給制御手段へモード切替を指示する指示機能部を備え、前記移動体を監視する監視制御手段と、
を有する電力供給制御装置。
【請求項２】
前記監視制御手段が、前記第１の検出手段と前記第２の検出手段との検出結果に基づいて、前記移動体が前記処理装置の使用目的で操作可能位置まで近づく第１の形態、前記移動体が前記処理装置の使用目的ではなく操作可能位置まで近づく第２の形態、前記移動体が前記処理装置の操作可能位置まで近づかず通過していく第３の形態を見極めて、前記電力供給制御手段によるモードの切り替えを制御する請求項１記載の電力供給制御装置。
【請求項３】
前記第１の形態の見極めが、前記移動体における、前記第１の領域への侵入に続いて、前記第２の領域への侵入後、前記第１の検出手段による移動未検出によるものであり、
前記第２の形態の見極めが、前記移動体における、前記第１の領域への侵入に続いて、前記第２の領域への侵入後、前記第１の検出手段による移動検出が継続された状態で前記第２の領域からの逸脱に続き、前記第１の領域からの逸脱によるものであり、
前記第３の形態の見極めが、前記移動体における、前記第１の領域への侵入後、前記第２の領域に侵入せず、前記第１の領域からの逸脱によるものである、
請求項２記載の電力供給制御装置。
【請求項４】
前記請求項１〜請求項３の何れか１項記載の電力供給制御装置を備え、
前記処理装置が、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、
前記画像読取部、前記画像形成部、前記ファクシミリ通信制御部が、使用者から指示される、画像読取機能、画像形成機能、画像複写機能、ファクシミリ受信機能、ファクシミリ送信機能の各画像処理機能に対して、相互に連携しあって当該画像処理機能を実行する画像処理装置。
【請求項５】
コンピュータを、前記請求項１〜請求項３の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
特許文献１には、画像処理装置に人感センサを設置して、当該画像処理装置に近づいてきた人を検出して、画像処理装置の電源を立上げて、消費電力の低減と利便性の両立を実現することが提案されている。
【０００３】
より詳しくは、人感センサとして、２点に設置された距離検出手段を採用し、人体の移動方向が所定のエリアに向かっているかどうかを判断シ、その判断結果に基づいて、画像形成装置本体を制御しており、人感センサによる人体の接近の際、画像形成装置に近づいてきて、操作することなく素通りするといった事象（単なる歩行者）に対して、前記立上げが実行される場合を含んでいる。
【先行技術文献】
【特許文献】
【０００４】
【特許文献１】特開平０５−０４５４７１号公報
【発明の概要】
【発明が解決しようとする課題】
【０００５】
本発明は、検出する移動体が、処理装置の操作実行者か否かの区別の確実性を向上し、処理装置における消費電力の低減と利便性の両立を実現することができる電力供給制御装置、画像処理装置、電力供給制御プログラムを得ることが目的である。
【課題を解決するための手段】
【０００６】
請求項１に記載の発明は、商用電力電源部から電力の供給を受け、当該電力によって動作する処理装置に対して電力を供給する電力供給モード、及び、前記処理装置への電力供給を休止する節電モードを選択的に実行する電力供給制御手段と、前記処理装置に対して相対的に遠い第１の領域を感知対象領域として設定され、移動体が移動しているか否かを区別して検出する第１の検出手段と、前記処理装置に対して相対的に近い第２の領域を感知対象領域として設定され、前記移動体が存在しているか否かを区別して検出する第２の検出手段と、少なくとも前記電力供給制御手段による電力供給状態が節電モード中であっても電力の供給を受けて稼働され、前記第２の検出手段の検出結果に基づく前記第２の領域への移動体の侵入判定後における、前記第１の検出手段による移動検出後の移動未検出に基づいて、前記節電モードから前記電力供給モードに切り替えるか否かを判定する判定機能部、並びに当該判定機能の判定結果に基づいて前記電力供給制御手段へモード切替を指示する指示機能部を備え、前記移動体を監視する監視制御手段と、を有している。
【０００７】
請求項２に記載の発明は、前記請求項１に記載の発明において、前記監視制御手段が、前記第１の検出手段と前記第２の検出手段との検出結果に基づいて、前記移動体が前記処理装置の使用目的で操作可能位置まで近づく第１の形態、前記移動体が前記処理装置の使用目的ではなく操作可能位置まで近づく第２の形態、前記移動体が前記処理装置の操作可能位置まで近づかず通過していく第３の形態を見極めて、前記電力供給制御手段によるモードの切り替えを制御する。
【０００８】
請求項３に記載の発明は、前記請求項２に記載の発明において、前記第１の形態の見極めが、前記移動体における、前記第１の領域への侵入に続いて、前記第２の領域への侵入後、前記第１の検出手段による移動未検出によるものであり、前記第２の形態の見極めが、前記移動体における、前記第１の領域への侵入に続いて、前記第２の領域への侵入後、前記第１の検出手段による移動検出が継続された状態で前記第２の領域からの逸脱に続き、前記第１の領域からの逸脱によるものであり、前記第３の形態の見極めが、前記移動体における、前記第１の領域への侵入後、前記第２の領域に侵入せず、前記第１の領域からの逸脱によるものである。
【０００９】
請求項４に記載の発明は、前記請求項１〜請求項３の何れか１項記載の電力供給制御装置を備え、前記処理装置が、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記画像読取部、前記画像形成部、前記ファクシミリ通信制御部が、使用者から指示される、画像読取機能、画像形成機能、画像複写機能、ファクシミリ受信機能、ファクシミリ送信機能の各画像処理機能に対して、相互に連携しあって当該画像処理機能を実行する画像処理装置である。
【００１０】
請求項５に記載の発明は、コンピュータを、前記請求項１〜請求項３の何れか１項記載の電力供給制御装置として実行させる電力供給制御プログラムである。
【発明の効果】
【００１１】
請求項１、請求項４、請求項５記載の発明によれば、検出する移動体が、処理装置の操作実行者か否かの区別の確実性を向上し、処理装置における消費電力の低減と利便性の両立を実現することができる。
【００１２】
請求項２に記載の発明によれば、移動体の動作形態の見極めによって、移動体が処理装置を使用目的か否かを判定することができる。
【００１３】
請求項３に記載の発明によれば、移動体の動作形態の見極めを、異なる仕様の検出手段によって実現することができる。
【図面の簡単な説明】
【００１４】
【図１】本実施の形態に係る画像処理装置の概略図である。
【図２】本実施の形態に係るメインコントローラと電源装置との概略構成図である。
【図３】本実施の形態に係る節電中監視制御部における、節電モード中の画像処理装置への人の接近状態を監視するための制御の流れを示す機能ブロック図である。
【図４】本実施の形態に係る節電モードへ移行する際、節電モード移行時割込ルーチンを示す制御フローチャートである。
【図５】本実施の形態に係る節電モード中監視制御ルーチンを示す制御フローチャートである。
【図６】本実施の形態にかかる実施例であり、画像処理装置及びその周辺示す平面図である。
【図７】第１の人感センサ、第２の人感センサの出力信号における、図６に示すパターンＡのタイミングチャートである。
【図８】第１の人感センサ、第２の人感センサの出力信号における、図６に示すパターンＢのタイミングチャートである。
【図９】第１の人感センサ、第２の人感センサの出力信号における、図６に示すパターンＣのタイミングチャートである。
【発明を実施するための形態】
【００１５】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部１２又はファクシミリ通信制御回路２３６へ送出したりする。
【００１６】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００１７】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１８】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００１９】
画像処理装置１０には、入力電源線２４４の先端にコンセント２４５も取り付けられており、壁面Ｗまで配線された商用電源２４２の配線プレート２４３に、当該コンセント２４５を差し込むことで電力の供給を受けるようになっている。
【００２０】
図２は、前記メインコントローラ２００によって制御されるデバイス、並びにメインコントローラ２００、並びに各デバイスへ電源を供給するための電源装置２０２の電源ラインを主体とした概略構成図である。
【００２１】
（メインコントローラ２００）
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２２】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００２３】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００２４】
メインコントローラ２００及び各デバイス（ファクシミリ通信制御回路２３６、画像読取部２３８、画像形成部２４０）は、電源装置２０２から電源が供給される（図２の点線参照）。なお、図２では、電源線を１本の線（点線）で示しているが、実際には２本〜３本の配線である。
【００２５】
（電源装置２０２）
図２に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００２６】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う。
【００２７】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００２８】
また、第２の電源部２５０は、高電圧電源生成部２５０Ｈと低電圧電源生成部（ＬＶＰＳ）２５０Ｌを備えている。高電圧電源生成部２５０Ｈは主として画像形成部２４０の定着部のヒータ等で使用される電源であり、低電圧電源生成部２５０Ｌから生成される。
【００２９】
第２の電源部２５０の高電圧電源生成部２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００３０】
画像読取機能電源供給部２５８は、低電圧電源生成部（ＬＶＰＳ）２５０Ｌを入力源として、第２のサブ電源スイッチ２６８（以下、「ＳＷ−２」という場合がある。）を介して、画像読取部２３８に接続されている。
【００３１】
画像形成機能電源供給部２６０は、高電圧電源生成部２５０Ｈと低電圧電源生成部（ＬＶＰＳ）２５０Ｌを入力源として、第３のサブ電源スイッチ２７０（以下、「ＳＷ−３」という場合がある。）を介して、画像形成部２４０に接続されている。
【００３２】
画像複写機能電源供給部２６２は、高電圧電源生成部２５０Ｈと低電圧電源生成部（ＬＶＰＳ）２５０Ｌを入力源として、第４のサブ電源スイッチ２７２（以下、「ＳＷ−４」という場合がある。）を介して、画像読取部２３８及び画像形成部２４０に接続されている。
【００３３】
ファクシミリ受信機能電源供給部２６４は、高電圧電源生成部２５０Ｈと低電圧電源生成部（ＬＶＰＳ）２５０Ｌを入力源として、第５のサブ電源スイッチ２７４（以下、「ＳＷ−５」という場合がある。）を介して、ファクシミリ通信制御回路２３６及び画像形成部２４０に接続されている。
【００３４】
ファクシミリ送信機能電源供給部２６６は、低電圧電源生成部（ＬＶＰＳ）２５０Ｌを入力源として、第６のサブ電源スイッチ２７６（以下、「ＳＷ−６」という場合がある。）を介して、ファクシミリ通信制御回路２３６及び画像読取部２３８に接続されている（通信レポート等の出力を除く）。
【００３５】
前記第２のサブ電源スイッチ２６８、第３のサブ電源スイッチ２７０、第４のサブ電源スイッチ２７２、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。
【００３６】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００３７】
（節電中の監視）
ここで、本実施の形態のメインコントローラ２００は、必要最小限の電力消費となるように、部分的にその機能を停止させる場合がある。或いは、メインコントローラ２００の大部分を含め、電力の供給を停止させる場合がある。その中で、常に電力を供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００３８】
ところで、前記節電中の監視において、例えば、ＵＩタッチパネル２１６の操作や、所謂ハードキー（コピー指示、ファクシミ指示等を行なうための操作ボタン等）の操作があることで、節電中であったデバイスに対して、節電中監視制御部２４では、第１のサブ電源スイッチ２５６、第２のサブ電源スイッチ２６８、第３のサブ電源スイッチ２７０、第４のサブ電源スイッチ２７２、第５のサブ電源スイッチ２７４、第６のサブ電源スイッチ２７６を制御することで、電力を供給を行なうことが前提である。
【００３９】
また、メインコントローラ２００のＩ／Ｏ２１０には、節電解除ボタン２６が接続されており、節電中に使用者がこの節電解除ボタン２６を操作することで、節電が解除可能となっている。
【００４０】
ここで、前記ＵＩタッチパネル２１６の操作や所謂ハードキー（節電解除ボタン２６を含む）の操作を監視するためには、節電中監視制御部２４以外に、メインコントローラ２００のＵＩタッチパネル２１６等に電力を供給しておくことが前提となる。
【００４１】
従って、節電モードであっても、ＵＩタッチパネル２１６等の入力系を主体とした必要最小限の電力供給は供給されているのが現状である。
【００４２】
さらに、使用者が画像処理装置１０の前に立ち、その後に節電解除ボタン２６を操作して、電力供給を再開した場合、画像処理装置１０が立ち上がるまでに時間を要する場合があった。
【００４３】
そこで、本実施の形態では、上記節電モード中の監視体制によるメインコントローラ２００への電力供給量低減に対して、当該メインコントローラ２００へのさらなる電力供給量低減を目的として、前記節電中監視制御部２４に、互いに仕様が異なる２種類の人感センサ（第１の人感センサ２８、第２の人感センサ３０）を設置すると共に、節電モードでは、この第１の人感センサ２８及び第２の人感センサ３０と、前記節電中監視制御部２４以外への電力供給を遮断するようにした。
【００４４】
なお、第１の人感センサ２８、第２の人感センサ３０は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。
【００４５】
第１の人感センサ２８は、画像処理装置１０の周囲において、後述する第２の人感センサ３０の検出領域よりも広い領域を検出領域（以下、「第１の領域Ｆ」という）としている。例えば、第１の人感センサ２８の検出領域は、画像処理装置１０が設置されている場所の環境にもよるが、目安として２〜３ｍ程度である（図６の第１の領域Ｆ(far)参照）。
【００４６】
一方、第２の人感センサ３０は、前記第１の人感センサ２８の検出領域（第１の領域）よりも狭い領域を検出領域（以下、「第２の領域Ｎ」という）としている。例えば、第２の人感センサ３０の検出領域は、画像処理装置１０のＵＩタッチパネル２１６やハードキーの操作が可能な範囲であり、目安として０〜０．５ｍ程度である（図６の第２の領域Ｎ(near)参照）。
【００４７】
第１の人感センサ２８の仕様は、人の動きを検出するものであり、焦電素子の焦電効果を用いた赤外線センサ等が代表的である。
【００４８】
この第１の人感センサ２８の最大の特徴は、検出領域が広いことである（前記２〜３ｍ、又はそれ以上が可能）。また、人の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００４９】
本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動があったり、手足、首等を動かすといった場合を静止の範疇とする。
【００５０】
なお、当該「静止」を定義して第１の人感センサ２８の感度を調整するのではなく、感度は、比較的おおまか、かつ標準的に調整し、当該第１の人感センサ２８の検出状態に依存するようにしてもよい。すなわち、第２の人感センサ２８が二値信号の内の１つ（例えば、ハイレベル信号）を出力しているときは人が動いていることを示し、第２の人感センサ２８の検出領域内に人が存在し、かつ二値信号の内の他の１つ（例えば、ローレベル信号）が出力された場合を静止とすればよい。
【００５１】
第２の人感センサ３０の仕様は、人の有無（存在・不存在）を検出するものであり、投光部と受光部とを備えた反射型センサ等が代表的である。なお、投光部と受光部とが分離された形態であってもよい。
【００５２】
この第２の人感センサ３０の最大の特徴は、受光部に入る光を遮断する／しないによって人の有無を確実に検出することである。また、投光部から投光される光量等により、受光部へ入射する光量に制限があるため、比較的近距離が検出領域である（前記０〜０．５ｍ前後）。
【００５３】
ここで、本実施の形態の画像処理装置１０に搭載される、前記第１の人感センサ２８及び第２の人感センサ３０は、前述したように前記節電中監視制御部２４に接続され、その検出信号が節電中監視制御部２４へ入力されるようになっている。
【００５４】
節電中監視制御部２４では、第１の人感センサ２８及び第２の人感センサ３０からの信号に基づいて、以下の３形態を見極めるようになっている。
（第１の形態)
人が画像処理装置１０に対して、使用目的で操作可能位置まで近づいてきている。
【００５５】
この第１の形態は、まず、第１の領域に人が侵入してきたことを第１の人感センサ２８により検出し、その後、この第１の人感センサ２８による検出の継続中に、第２の領域に人が侵入してきたことを第２の人感センサ３０により検出した後、第２の領域内での第１の検出手段による人の未検出（静止）という流れが確立することで見極めが可能となる（図６のＡ線矢視の動向（Ａパターン）参照）。
（第２の形態）
人が処理装置を使用目的ではないが、操作可能位置まで近づいてきている。
【００５６】
この第２の形態は、まず、第１の領域に人が侵入してきたことを第１の人感センサ２８により検出し、その後、この第１の人感センサ２８による検出の継続中に、第２の領域に人が侵入してきたことを第２の人感センサ３０により検出し、第２の領域内での第１の検出手段による人の検出（移動）が継続されたまま、第２の領域から出て（第２の人感センサ３０による未検出）、さらに、第１の領域から出る（第１の人感センサ２８による未検出）という流れが確立することで見極めが可能となる（図６のＢ線矢視の動向（Ｂパターン）参照）。
（第３の形態）
人が処理装置の操作可能位置まで近づかないが、第１の形態、第２の形態に移行する可能性のある距離まできている。
【００５７】
この第３の形態は、まず、第１の領域に人が侵入してきたことを第１の人感センサ２８により検出し、その後、第２の人感センサ３０による人検出がない状態で、第１の領域から出る（第１の人感センサ２８による未検出）という流れが確立することで見極めが可能となる（図６のＣ線矢視の動向（Ｃパターン）参照）。
【００５８】
節電中監視制御部２４では、前記第１の人感センサ２８及び第２の人感センサ３０の検出信号に基づく、上記３種類の形態の確定に基づいて、まず、メインコントローラ２００におけるＵＩタッチパネル２１６や節電解除ボタン２６を含むコピー実行等を指示するハードキー等の入力系への電力供給を実行する。
【００５９】
その後、ＵＩタッチパネル２１６又はハードキー等による操作指示によって、当該操作指示された機能に必要なデバイスに対して電力供給を実行する。節電解除ボタン２６の操作では、全てのデバイスが一斉に電力供給される。なお、本実施の形態では、指示された機能に必要なデバイスに対して電力供給を実行するようにしたが、指示される機能に関わらず、全てのデバイスに電力供給を実行してもよい。
【００６０】
図３は、節電中監視制御部２４における、節電モード中の画像処理装置１０への人の接近状態を監視するための制御の流れを示す機能ブロック図である。なお、この図３は、あくまでも人の接近状態を監視するための制御を機能的に示したものであり、ハード構成を限定するものではない。
【００６１】
第１の人感センサ２８及び第２の人感センサ３０は、それぞれ出力信号解析部５０に接続されている。出力信号解析部５０は、第１の人感センサ２８及び第２の人感センサ３０から入力される信号を、検出時期等を相互に関連付けて解析し、解析結果を逐次、段階区分読出部５２及び段階区分判定部５４へ送出する。
【００６２】
段階区分読出部５２には、段階区分保持部５６が接続されている。段階区分読出部５２では、当該段階区分保持部５６に保持されている段階区分（段階１〜段階３）を読み出し、前記段階区分判定部５４へ送出する。
【００６３】
前記段階区分保持部５６は、初期段階区分登録部５８に接続されている。初期段階区分登録部５８には、メインコントローラ２００のＣＰＵ２０４から、節電モード移行指示信号が入力されるようになっており、当該節電モード移行指示信号が入力されると、初期段階区分記憶部６０に記憶されている初期段階（ここでは、第１段階)を読み出して、前記段階区分保持部５６へ登録する。
【００６４】
前記段階区分判定部５４では、前記出力信号解析部５０による第１の人感センサ２８及び第２の人感センサ３０の出力信号解析結果と、段階区分読出部５２から受け取った現在の段階区分とに基づいて、新たな段階区分を判定する。
【００６５】
段階区分判定部５４は、段階区分更新部６２及び電力供給指示信号出力部６４に接続されている。
【００６６】
段階区分判定部における判定の結果、第１段階〜第３段階と判定された場合には、段階区分更新部６２にその旨を出力する。段階区分更新部６２は、前記段階区分保持部に接続されており、この結果、段階区分更新部６２では、受け取った新たな段階区分を段階区分保持部５６に保持するように更新処理を実行する。
【００６７】
一方、段階区分判定部における判定の結果、第４段階の場合には、電力供給指示信号出力部６４にその旨を出力する。電力供給指示信号出力部６４では、メインンコントローラ２００のＣＰＵ２０４へ電力供給モード移行指示を出力する。
【００６８】
以下に本実施の形態の作用を説明する。
【００６９】
本実施の形態の画像処理装置１０では、予め定められた条件が揃うと、節電モードへ移行する。この節電モードでは、ファクシミリ通信制御回路２３６、画像読取部２３８、画像形成部２４０の各デバイスのみならず、節電中監視制御部２４を除くメインコントローラ２００、並びにＵＩタッチパネル２１６に対しても電力供給を遮断する。この場合、メインコトローラ２００に接続されている節電解除ボタン２６の機能も停止される。このため、周囲から画像処理装置１０を見ると、完全にメイン電源スイッチが切られている状態と同等の状態となる。すなわち、節電モードが確実に実行されていることが、周囲から確認可能な状態となる（「見える化」の実現）。
【００７０】
ここで、本実施の形態では、上記節電モード中の画像処理装置１０に対して、電力供給を再開させる契機として、第１の人感センサ２８、第２の人感センサ３０（以下、図５において単に「第１」、「第２」と記す場合がある）により、画像処理装置１０の周囲を監視して、当該画像処理装置１０に接近してくる人が操作を目的としているか否かを見極めて、電力供給を再開するか否かを判定するようにした。
【００７１】
図４、図５は、節電モードを制御するためのフローチャートである。
【００７２】
まず、図４において、節電モードへ移行する際、節電モード移行時割込ルーチンが実行され、ステップ１００において、後述する人感センサ監視段階を「第１段階」に設定し、次いで、ステップ１０２へ移行して、図５のフローチャートの起動を指示し、このルーチンは終了する。
【００７３】
図５は、節電モード中監視制御ルーチンを示すフローチャートである。
【００７４】
ステップ１０４では、現在の段階区分を判定する。
【００７５】
なお、この図５のフローチャートにおいて判定される段階区分として、第１段階〜第４段階の４段階を設定している。
【００７６】
第１段階は、人が第１の領域Ｆ（図６参照）よりも外にいるか、或いは第１の領域Ｆ内（第２の領域Ｎ（図６参照）を除く）で静止している状態を示す。
【００７７】
第２段階は、人が第１の領域Ｆ内にいるが、第２の領域には至っておらず、移動中である状態を示す。
【００７８】
第３段階は、人が第２の領域Ｎ内で移動している状態を示す。
【００７９】
第４段階は、人が第２の領域Ｎ内で静止している状態を示す。
【００８０】
なお、図５に示す節電モード監視制御ルーチンが起動された時点では、段階区分として第１段階が登録されているため、ステップ１０４では、現在の段階として第１段階と判定される。
【００８１】
（第１段階）
ステップ１０４で第１段階と判定されると、ステップ１０６へ移行して、第１の人感センサ２８がオン（ハイレベル信号出力）か否かが判断される。このステップ１０６で否定判定、すなわち、第１の人感センサ２８がオフ（ローレベル信号出力）の場合はステップ１０８へ移行して、段階区分を第１段階に設定（更新）してステップ１０４へ戻る。
【００８２】
また、ステップ１０６で肯定判定、すなわち、第１の人感センサ２８がオンの場合は、ステップ１１０へ移行して、段階区分を第２段階に設定（更新）してステップ１０４へ戻る。
【００８３】
（第２段階）
前記ステップ１０４で第２段階と判定されると、ステップ１１２へ移行して、第１の人感センサ２８がオンか否かが判断される。このステップ１１２で否定判定、すなわち、第１の人感センサ２８がオフの場合はステップ１１４へ移行して、段階区分を第１段階に設定（更新）してステップ１０４へ戻る。
【００８４】
また、ステップ１１２で肯定判定、すなわち、第１の人感センサ２８がオンの場合は、ステップ１１６へ移行して、第２の人感センサ３０がオンか否かが判断される。このステップ３０で否定判定、すなわち、第２の人感センサ３０がオフの場合はステップ１１４へ移行して、段階区分を第１段階に設定（更新）してステップ１０４へ戻る。
【００８５】
また、ステップ１１６で肯定判定、すなわち、第２の人感センサ３０がオンの場合は、ステップ１１８へ移行して、段階区分を第３段階に設定（更新）してステップ１０４へ戻る。
【００８６】
（第３段階）
前記ステップ１０４で第３段階と判定されると、ステップ１２０へ移行して、第１の人感センサ２８がオンか否かが判断される。このステップ１２０で否定判定、すなわち、第１の人感センサ２８がオフの場合はステップ１２２へ移行して、段階区分を第４段階とする。
【００８７】
（第４段階）
この第４段階では、人が画像処理装置１０の前で立ち止まっていることを意味しているため、言い換えれば、人が画像処理装置１０を操作目的で接近して立っているものと想定され、ステップ１２２からステップ１２４へ移行して、メインコントローラ２００のＣＰＵ２０４に対して、節電モードから電力供給モードへ移行するように指示し、このルーチンは終了する。
【００８８】
メインコントローラ２００では、電力供給モードへ移行するように指示されると、少なくとも、ＵＩタッチパネル２１６の機能を立ち上げ（バックライトを含む）、節電解除ボタン２６を含むハードキーの操作を有効として、使用者の操作の待機状態とする。
【００８９】
この結果、遊技者は必要最小限の電力を受けているＵＩタッチパネル２１６等から例えば、コピーをするための操作を行なうと、画像読取部２３８、画像形成部２４０に電力供給が実行される。
【００９０】
図５に示される如く、ステップ１２０で肯定判定、すなわち、第１の人感センサ２８がオンの場合は、ステップ１２６へ移行して、第２の人感センサ３０がオンか否かが判断される。このステップ１２６で否定判定、すなわち、第２の人感センサ３０がオフの場合は、ステップ１２８へ移行して、段階区分を第２段階に設定（更新）してステップ１０４へ戻る。
【００９１】
また、ステップ１２６で肯定判定、すなわち、第２の人感センサ３０がオンの場合は、ステップ１３０へ移行して、段階区分を第３段階に設定（更新）してステップ１０４へ戻る。
【実施例】
【００９２】
図６〜図９は、本実施の形態において実行される人の接近による画像処理装置１０の使用目的か否かを判定を具体例を示したものである。
【００９３】
図６は、画像処理装置１０及びその周辺示す平面図であり、壁面Ｗに沿って配置された画像処理装置１０の遠方に第１の領域Ｆ、第２の領域が設定されている。
【００９４】
ここで、図６には、このような画像処理装置１０の設置状態で、大きく分類して、人の動きとして、パターンＡ〜パターンＣが示されている。
【００９５】
パターンＡは、人が画像処理装置１０の操作可能位置まで近づき、使用目的で操作のため静止した後、離れていく移動軌跡であり、移動軌跡としては、領域外（第１段階）→領域Ｆ（第２段階）→領域Ｎ（第３段階。さらに静止することで、第４段階と判定され、節電解除となる。）→領域Ｆ（第２段階）→領域外（第１段階）の順になる。
【００９６】
パターンＢは、人が画像処理装置１０の操作可能位置まで近づき通過していく移動軌跡であり、移動軌跡としては、領域外（第１段階）→領域Ｆ（第２段階）→領域Ｎ（第３段階（移動継続））→領域Ｆ（第２段階）→領域外（第１段階）の順になる。
【００９７】
パターンＣは、人が画像処理装置１０の操作可能位置までは近づかないで近傍を通過していく移動軌跡であり、移動軌跡としては、領域外（第１段階）→領域Ｆ（第２段階）→領域外（第１段階）の順になる。
【００９８】
（パターンＡ）
図７は、第１の人感センサ２８、第２の人感センサ３０の出力信号における、前記パターンＡのタイミングチャートである。
【００９９】
まず、第１の人感センサ２８で人の動きを検出し（図７（Ａａ）参照）、この人の動きを検出している間に第２の人感センサ３０で人の存在を検出する（図７（Ａｂ）参照）。
【０１００】
この時点では、単に人が画像処理装置１０の前にいるだけであり、操作目的なのか素通りなのかが不明である。
【０１０１】
次に、第２の人感センサ３０で人の存在を検出している状態で、第１の人感センサ２８による人の動きが検出されなくなる（図７（Ａｃ）参照）。この状態が、画像処理装置１０の前で人が立ち止まったことを意味し、画像処理装置１０を操作する意志があると判断して、節電モードを解除することになる。
【０１０２】
画像処理装置１０から人が離れるときは、まず、第２の人感センサ３０で人の存在を検出している状態で第１の人感センサ２８で人の動きを検出し（図７（Ａｄ）参照）、次いで、第２の人感センサ３０による人の存在を検出しなくなり（図７（Ａｅ）参照）、最後に、第１の人感センサ２８で人の動きを検出しなくなったことで（図７（Ａｆ）、画像処理装置１０から離れた（領域Ｆよりも遠くへ離れた）ことが認識される。
【０１０３】
なお、本実施の形態では、画像処理装置１０から人が離れる状態の判定は必須ではない。
【０１０４】
（パターンＢ）
図８は、第１の人感センサ２８、第２の人感センサ３０の出力信号における、前記パターンＢのタイミングチャートである。
【０１０５】
まず、第１の人感センサ２８で人の動きを検出し（図８（Ｂａ）参照）、この人の動きを検出している間に第２の人感センサ３０で人の存在を検出する（図８（Ｂｂ）参照）。
【０１０６】
この時点では、単に人が画像処理装置１０の前にいるだけであり、操作目的なのか素通りなのかが不明である。
【０１０７】
次に、第１の人感センサ２８で人の動きの検出が継続されている状態で、第２の人感センサ３０による人の存在を検出しなくなり（図８（Ｂｃ）参照）、最後に、第１の人感センサ２８で人の動きを検出しなくなったことで（図８（Ｂｄ）参照）、画像処理装置１０から離れた（領域Ｆよりも遠くへ離れた）ことが認識される。
【０１０８】
（パターンＣ）
図９は、第１の人感センサ２８、第２の人感センサ３０の出力信号における、前記パターンＢのタイミングチャートである。
【０１０９】
まず、第１の人感センサ２８で人の動きを検出し（図９（Ｃａ）参照）、この人の動きを検出している間に第２の人感センサ３０で人の存在を検出することなく、第１の人感センサ２８で人の動きを検出しなくなったことで（図９（Ｃｂ）参照）、画像処理装置１０から離れた（領域Ｆよりも遠くへ離れた）ことが認識される。
【０１１０】
なお、本実施の形態では、節電モード中の電力（節電中監視制御部２４の起動に利用する電力）を商用電源２４２から供給を受けるようにしたが、内部電池、太陽電池、或いは、電力供給モード中に充電した充電池からの電力で動作するようにすれば、節電モード中は完全に商用電源２４２からの電力供給が遮断される。
【０１１１】
また、図２では、指示される処理機能毎に必要なデバイス（ファクシミリ通信制御回路２３６、画像読取部２３８、画像形成部２４０やメインコントローラ２００の一部、ＵＩタッチパネル２１６等）を独立して電力供給・遮断を実行する構成としたが、例えば、電力供給モードでは全てのデバイスに電力が供給され、一方、節電モード中では、少なくとも、人感センサ２８、３０及びその監視制御系（節電中監視制御部２４）にのみ電力が供給され得る構成であればよい。
【符号の説明】
【０１１２】
Ｗ    壁面
２０    ネットワーク通信回線網
２２    電話回線網
２４    節電中監視制御部（監視制御手段）
２６    節電解除ボタン
２８    第１の人感センサ（第１の検出手段）
３０    第２の人感センサ（第２の検出手段）
５０    出力信号解析部
５２    段階区分読出部
５４    段階区分判定部
５６    段階区分保持部
５８    初期段階区分登録部
６０    初期段階区分記憶部
６２    段階区分更新部
６４    電力供給指示信号出力部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路（電力供給制御手段）
２５４    電源線
２５６    第１のサブ電源スイッチ（「ＳＷ−１」）
２５０Ｈ    高電圧電源生成部
２５０Ｌ    低電圧電源生成部
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６８    第２のサブ電源スイッチ（「ＳＷ−２」）
２７０    第３のサブ電源スイッチ（「ＳＷ−３」）
２７２    第４のサブ電源スイッチ（「ＳＷ−４」）
２７４    第５のサブ電源スイッチ（「ＳＷ−５」）
２７６    第６のサブ電源スイッチ（「ＳＷ−６」）
【図１】
0005652152.tif 000002
【図２】
0005652152.tif 000003
【図３】
0005652152.tif 000004
【図４】
0005652152.tif 000005
【図５】
0005652152.tif 000006
【図６】
0005652152.tif 000007
【図７】
0005652152.tif 000008
【図８】
0005652152.tif 000009
【図９】
0005652152.tif 000010